(57)【要約】【課題】使い勝手のよいカメラ用アクセサリを提供すること。【解決手段】アクセサリ４００は、複数の端子を備えてカメラ１００に着脱可能であって、複数の端子は、カメラ１００に対して装着される装着面の長手方向において中央よりも一端側へ寄せて長手方向に並ぶ端子列を形成し、アクセサリ４００が装着されている状態か否かの判定に用いられる装着検出信号をカメラ１００へ送る装着検出端子と、基準電位となる第１の基準電位端子と、を含み、端子列において装着検出端子よりも一端側に第１の基準電位端子が配置されている。【選択図】図１
2015075504.tif 000002
【特許請求の範囲】
【請求項１】
複数の端子を備えてカメラに着脱可能なアクセサリであって、
前記複数の端子は、
前記カメラに対して装着される装着面の長手方向において中央よりも一端側へ寄せて前記長手方向に並ぶ端子列を形成し、
前記アクセサリが装着されている状態か否かの判定に用いられる装着検出信号を前記カメラへ送る装着検出端子と、基準電位となる第１の基準電位端子と、を含み、
前記端子列において前記装着検出端子よりも前記一端側に前記第１の基準電位端子が配置されていることを特徴とするアクセサリ。
【請求項２】
請求項１に記載のアクセサリにおいて、
前記複数の端子は、前記基準電位となる第２の基準電位端子をさらに含み、
前記端子列において、前記装着検出端子よりも前記中央側に前記第２の基準電位端子が配置されていることを特徴とするアクセサリ。
【請求項３】
請求項１または２に記載のアクセサリにおいて、
前記複数の端子は、前記装着検出端子との間で短絡状態にあるとしても前記装着検出端子の信号レベルを変化させない第１の緩衝用端子および第２の緩衝用端子をさらに含み、
前記端子列において、前記装着検出端子の両隣に前記第１の緩衝用端子および前記第２の緩衝用端子が配置されていることを特徴とするアクセサリ。
【請求項４】
請求項３に記載のアクセサリにおいて、
操作部材をさらに備え、
前記複数の端子は、前記操作部材の操作信号を前記カメラへ送る操作端子と、他の端子との間で短絡状態にあるとしても前記他の端子の信号レベルを変化させない第３の緩衝用端子と、をさらに含み、
前記端子列において、前記操作端子の両隣に前記第２の緩衝用端子、前記第３の緩衝用端子、前記第２の基準電位端子を含む基準電位端子のいずれかの端子が配置されていることを特徴とするアクセサリ。
【請求項５】
請求項４に記載のアクセサリにおいて、
前記操作部材はレリーズ操作部材を含み、
前記複数の端子は、前記レリーズ操作部材の操作信号を前記カメラへ送るレリーズ操作端子をさらに含み、
前記端子列において、前記レリーズ操作端子の両隣に前記第２の緩衝用端子と前記第３の緩衝用端子とが配置されていることを特徴とするアクセサリ。
【請求項６】
請求項５に記載のアクセサリにおいて、
前記レリーズ操作端子は、前記レリーズ操作部材の半押し操作を示すレリーズ半押し操作信号を前記カメラへ送る第１レリーズ操作端子と、前記レリーズ操作部材の全押し操作を示すレリーズ全押し操作信号を前記カメラへ送る第２レリーズ操作端子と、を含み、
前記端子列において、前記第２の緩衝用端子、前記第１レリーズ操作端子、前記第２レリーズ操作端子、前記第３の緩衝用端子の順に配置させることを特徴とするアクセサリ。
【請求項７】
請求項４〜６のいずれか一項に記載のアクセサリにおいて、
前記操作部材は回転操作部材を含み、
前記複数の端子は、前記回転操作部材の回転操作を示す位相信号を前記カメラへ送る位相信号端子と、前記基準電位となる第３の基準電位端子と、前記基準電位となる第４の基準電位端子と、をさらに含み、
前記端子列において、前記位相信号端子の両隣に第３の基準電位端子と前記第４の基準電位端子とが配置されることを特徴とするアクセサリ。
【請求項８】
請求項７に記載のアクセサリにおいて、
前記位相信号端子は、前記回転部材の回転操作を示す第１相信号端子と、前記回転部材の回転操作を示す第２相信号端子とを含み、
前記複数の端子は、前記基準電位となる第５の基準電位端子をさらに含み、
前記端子列において、前記第５の基準電位端子の両隣に前記第１相信号端子および前記第２相信号端子が配置されていることを特徴とするアクセサリ。
【請求項９】
請求項７または８に記載のアクセサリにおいて、
前記操作部材は押下操作部材をさらに備え、
前記複数の端子は、前記押下操作部材の押下操作信号を前記カメラへ送る押下操作端子をさらに含み、
前記端子列において、前記位相信号端子と前記押下操作端子との間に前記第４の基準電位端子が隣接して配置されていることを特徴とするアクセサリ。
【請求項１０】
請求項９に記載のアクセサリにおいて、
前記端子列は２列状に並置され、
第１列において、前記中央寄りから順に、前記第２の基準電位端子、前記第１の緩衝用端子、前記装着検出端子、前記第２の緩衝用端子、前記第１レリーズ操作端子、前記第２レリーズ操作端子、前記第３の緩衝用端子が配置され、
第２列において、前記中央寄りから順に、前記第３の基準電位端子、前記第１相信号端子、前記第５の基準電位端子、前記第２相信号端子、前記第４の基準電位端子、前記押下操作端子が配置されることを特徴とするアクセサリ。
【請求項１１】
請求項１０に記載のアクセサリにおいて、
前記複数の端子は、前記基準電位となる第６の基準電位端子と、前記カメラへ電力を供給する第１極性の複数の電源端子と、前記カメラへ電力を供給する第２極性の複数の電源端子と、をさらに含み、
前記第１列において、前記第３の緩衝用端子と前記第１の前記基準電位端子との間に前記第１極性の電源端子が複数配置され、
前記第２列において、前記一端側の端に前記第６の基準電位端子が、前記第３操作端子と前記第６の前記基準電位端子との間に前記第２極性の電源端子が複数配置されていることを特徴とするアクセサリ。
【請求項１２】
請求項１〜１１のいずれか一項に記載のアクセサリにおいて、
前記長手方向において前記端子配列よりも前記一端側もしくは前記中央に寄せて配置され、前記カメラからの前記アクセサリの着脱に応じて所定の方向に移動されるスイッチ部をさらに備え、
前記装着検出端子は、前記スイッチ部が所定方向に移動されてから、前記装着検出レベルを前記カメラへ送ることを特徴とするアクセサリ。
【請求項１３】
請求項１２に記載のアクセサリにおいて、
前記装着検出端子は、前記カメラに装着される際に、前記第１の基準電位端子が前記装着検出端子よりも先に前記カメラの対応する端子と接触するように、前記第１の基準電位端子の端子よりも前記所定方向の長さが短く形成されていることを特徴とするアクセサリ。
【請求項１４】
請求項１〜１３のいずれか一項に記載のアクセサリにおいて、
前記装着面は前記カメラの底面に対して装着され、
前記複数の端子は、前記装着面から突出していることを特徴とするアクセサリ。
【請求項１５】
複数の端子を備えてアクセサリが着脱されるカメラであって、
前記複数の端子は、
前記アクセサリが装着される面の長手方向において中央よりも一端側へ寄せて前記長手方向に並ぶ端子列を形成し、
前記アクセサリが装着されている状態か否かの判定に用いる装着検出信号を前記アクセサリから受ける装着検出端子と、基準電位となる第１の基準電位端子と、を含み、
前記端子列において前記装着検出端子よりも前記一端側に前記第１の基準電位端子が配置されていることを特徴とするカメラ。
【請求項１６】
請求項１５に記載のカメラにおいて、
前記複数の端子は、前記装着検出端子との間で短絡状態にあるとしても前記装着検出端子の信号レベルを変化させない第１の緩衝用端子および第２の緩衝用端子をさらに含み、
前記端子列において、前記装着検出端子の両隣に前記第１の緩衝用端子および前記第２の緩衝用端子が配置されていることを特徴とするカメラ。
【請求項１７】
請求項１６に記載のカメラにおいて、
前記複数の端子は、前記アクセサリの操作部材から操作信号を受ける操作端子と、前記基準電位となる第２の基準電位端子と、他の端子との間で短絡状態にあるとしても前記他の端子の信号レベルを変化させない第３の緩衝用端子と、をさらに含み、
前記端子列において、前記操作端子の両隣に前記第２の緩衝用端子、前記第３の緩衝用端子、前記第２の基準電位端子を含む基準電位端子の少なくともいずれかの端子が配置されていることを特徴とするカメラ。
【請求項１８】
請求項１７に記載のカメラにおいて、
前記操作端子は、レリーズ操作部材の半押し操作を示すレリーズ半押し操作信号を前記アクセサリから受ける第１操作端子と、前記レリーズ操作部材の全押し操作を示すレリーズ全押し操作信号を前記アクセサリから受ける第２操作端子と、回転操作部材の回転操作を示す第１相信号を前記アクセサリから受ける第１相信号端子と、前記回転操作部材の回転操作を示す第２相信号を前記アクセサリから受ける第２相信号端子と、押下操作部材の押下操作信号を前記アクセサリから受ける第３操作端子と、前記基準電位となる第３の基準電位端子と接続される第４の基準電位端子と第５の基準電位端子と、を含み、
前記端子列は２列状に並置され、
第１列において、前記中央寄りから順に、前記第２の基準電位端子、前記第１の緩衝用端子、前記装着検出端子、前記第２の緩衝用端子、前記第１操作端子、前記第２操作端子、前記第３の緩衝用端子が並び、
第２列において、前記中央寄りから順に、前記第３の基準電位端子、前記第１相信号端子、前記第４の基準電位端子、前記第２相信号端子、前記第５の基準電位端子、および前記第３操作端子が並ぶことを特徴とするカメラ。
【請求項１９】
請求項１８に記載のカメラにおいて、
前記複数の端子は、前記基準電位となる第６の基準電位端子と、前記アクセサリから電力供給を受ける第１極性の複数の電源端子と、前記アクセサリから電力供給を受ける第２極性の複数の電源端子と、をさらに含み、
前記第１列において、前記第３の緩衝用端子と前記第１の基準電位端子との間に前記第１極性の電源端子が複数配置され、
前記第２列において、前記一端側の端に前記第６の基準電位端子が、前記第３操作端子と前記第６の基準電位端子との間に前記第２極性の電源端子が複数配置されていることを特徴とするカメラ。
【請求項２０】
請求項１９に記載のカメラに着脱可能なアクセサリであって、
前記カメラの前記第１極性の電源端子および前記第２極性の電源端子へ電力を供給する電池を含むことを特徴とするアクセサリ。
【発明の詳細な説明】
【技術分野】
【０００１】
本発明は、カメラ用アクセサリ、およびカメラに関する。
【背景技術】
【０００２】
カメラに装着されるアクセサリが知られている（特許文献１参照）。カメラは、アクセサリの装着を検出し、検出したアクセサリとともに動作する。
【先行技術文献】
【特許文献】
【０００３】
【特許文献１】特開２０１１−８５６７４号公報
【発明の概要】
【発明が解決しようとする課題】
【０００４】
一般に、アクセサリを使用するカメラシステムは、ユーザーにとって使い勝手がよいことが期待される。例えば、アクセサリの装着がカメラで正しく検出され、誤動作なく使用できる場合には、ユーザーにとって使い勝手がよいといえる。
【課題を解決するための手段】
【０００５】
請求項１に記載の発明は、複数の端子を備えてカメラに着脱可能なアクセサリであって、複数の端子は、カメラに対して装着される装着面の長手方向において中央よりも一端側へ寄せて長手方向に並ぶ端子列を形成し、アクセサリが装着されている状態か否かの判定に用いられる装着検出信号をカメラへ送る装着検出端子と、基準電位となる第１の基準電位端子と、を含み、端子列において装着検出端子よりも一端側に第１の基準電位端子が配置されていることを特徴とする。
請求項１５に記載の発明は、複数の端子を備えてアクセサリが着脱されるカメラであって、複数の端子は、アクセサリが装着される面の長手方向において中央よりも一端側へ寄せて長手方向に並ぶ端子列を形成し、アクセサリが装着されている状態か否かの判定に用いる装着検出信号をアクセサリから受ける装着検出端子と、基準電位となる第１の基準電位端子と、を含み、端子列において装着検出端子よりも一端側に第１の基準電位端子が配置されていることを特徴とする。
【発明の効果】
【０００６】
本発明によれば、使い勝手のよいアクセサリ、カメラを提供できる。
【図面の簡単な説明】
【０００７】
【図１】本発明の第一の実施形態によるカメラシステムの外観を例示する図である。
【図２】図１のカメラ本体の底面を見た図である。
【図３】図１のアクセサリを上から見た図である。
【図４】図１のアクセサリを背面側から見た図である。
【図５】図１のカメラシステムの概要を説明するブロック図である。
【図６】図６(a)はアクセサリのコネクタの拡大図、図６(b)はカメラ本体のコネクタの拡大図、図６(c)は図６(a)のコネクタの端子列を見た図である。
【図７】本発明の第二の実施形態によるカメラシステムの外観を例示する図である。
【図８】図７のアクセサリを上から見た図である。
【図９】図７のアクセサリを背面側から見た図である。
【図１０】図７のカメラシステムの概要を説明するブロック図である。
【図１１】変形例１のアクセサリを例示する図である。
【発明を実施するための形態】
【０００８】
以下、図面を参照して本発明を実施するための形態について説明する。
（第一の実施形態）
図１は、本発明の第一の実施形態によるカメラシステム１の外観を例示する図である。図１において、カメラシステム１は、カメラ１０（カメラ本体１００および撮影レンズ２００）と、アクセサリ４００と、で構成される。図１では、アクセサリ４００としてグリップ部材が装着される場合を例示する。
【０００９】
カメラ本体１００の正面１２には、レンズマウント１１が備えられる。撮影レンズ２００は、不図示のレンズ側マウントを介してレンズマウント１１に装着される。カメラ本体１００の正面１２に対して側方を向く面のうち、上部に位置する面を上面（頂面）１３と呼ぶ。また、正面１２と反対側に位置する面を背面１４と呼ぶ。さらに上面１３と反対側に位置する面を底面１５と呼ぶ。
【００１０】
カメラ本体１００の上面１３には、レリーズボタン１６と、電源スイッチ１８と、が備えられる。カメラ１０は、レリーズボタン１６が押下されたことを検出して、撮像処理等を行う。電源スイッチ１８は、カメラ本体１００の電源オン状態と電源オフ状態とを切替えるスイッチである。
【００１１】
本説明では、ＸＹＺ直交座標系を設定し、構成要素の位置関係等を説明する。ＸＹＺ直交座標系において、Ｙ軸方向は撮影レンズ２００の光軸と略平行である。また、Ｘ軸方向およびＺ軸方向は、それぞれＹ軸方向と直交し、かつ互いに直交する方向である。正面１２および背面１４は、それぞれＸ軸およびＺ軸を含む平面（ＸＺ平面）と略平行である。上面１３および底面１５は、それぞれＸ軸およびＹ軸を含む平面（ＸＹ平面）と略平行である。
【００１２】
図２は、図１のカメラ本体１００の底面１５を見た図である。カメラ本体１００の底面１５には、位置決め穴１９と、三脚ネジ穴２０と、コネクタ２１とが設けられる。位置決め穴１９は、アクセサリ４００の位置決めピン４０１が挿入される穴である。三脚ネジ穴２０は、不図示の三脚のネジや、アクセサリ４００のネジ部４０２と螺合するネジ穴である。コネクタ２１は、アクセサリ４００のコネクタ４０３と嵌合するコネクタである。コネクタ２１は、底面１５の長手方向において中心線Ｃから右端部寄り（―Ｘ方向）に位置する。
【００１３】
図１において、アクセサリ４００は、カメラ本体１００の底面１５に対して着脱可能に構成される。アクセサリ４００は、ベース部４３０の上面４０５に設けられたコネクタ４０３がカメラ本体１００のコネクタ２１（図２）と嵌合した状態でネジ部４０２が締められると、ベース部の上面４０５がカメラ本体１００の底面１５と接合してカメラ本体１００に固定される。操作部４０２ａは、ネジ部４０２を回すためにネジ部４０２と同軸に構成された回転操作部材である。
【００１４】
図３は、図１のアクセサリ４００を上から見た図であり、図４は、図１のアクセサリ４００を背面側から見た図である。アクセサリ４００は、カメラ本体１００に装着された場合の正面１２に向かって左側となる位置に、グリップ４１０が設けられている。グリップ４１０は、カメラシステム１をユーザーが持ちやすくするための部材である。
【００１５】
また、アクセサリ４００のベース部４３０の上面４０５には、位置決めピン４０１と、ネジ部４０２と、コネクタ４０３と、検知部材４０４とが設けられる。グリップ４１０には、操作部材４２０が設けられる。操作部材４２０には、レリーズボタン４２１と、機能ボタン４２２と、回転操作ダイヤル４２３とが含まれる。
【００１６】
位置決めピン４０１は、カメラ本体１００の底面１５に設けられている位置決め穴１９（図２）に挿入される。ネジ部４０２は、カメラ本体１００の底面１５に設けられている三脚ネジ穴２０と螺合する。コネクタ４０３は、上面４０５から＋Ｚ方向に突出しており、カメラ本体１００の底面１５のコネクタ２１と嵌合する。
【００１７】
検知部材４０４は可動部材であり、アクセサリ４００がカメラ本体１００に固定される前は、ベース部４３０の上面４０５から図示する状態に＋Ｚ方向に突出する。そして、アクセサリ４００がカメラ本体１００に固定されると、カメラ本体１００の底面１５に当接してベース部４３０の上面４０５と面位置になるまで押し下げられる。
【００１８】
レリーズボタン４２１は、レリーズボタン１６と同様の機能を有する操作部材である。すなわち、アクセサリ４００がカメラ本体１００に装着された場合において、カメラ１０はレリーズボタン４２１が押下された場合にも撮像処理を行う。
【００１９】
機能ボタン４２２は、例えば、回転操作ダイヤル４２３によって変更する項目を選ぶための操作部材である。回転操作ダイヤル４２３は、例えば、シャッタースピード等を変更するための操作部材である。コネクタ４０３は、上面４０５の長手方向において中心線Ｃから右端部寄り（―Ｘ方向）に位置する。
【００２０】
＜ブロック図の説明＞
図５は、図１に例示したカメラシステム１の概要を説明するブロック図である。図５において、カメラ本体１００は、カメラ制御部３１と、撮像部３２と、画像処理部３３と、カメラ電源部３４と、操作部材３６と、信号監視部５０と、コネクタ２１とを含む。アクセサリ４００は、操作部材４２０と、スイッチ４０６と、検知部材４０４と、コネクタ４０３とを含む。
【００２１】
＜カメラ本体＞
カメラ本体１００のカメラ制御部３１は、カメラ本体１００の各部の動作を制御する。撮像部３２はイメージセンサを含み、撮影レンズ２００（図１）によって結像された被写体像を撮像し、画像データを画像処理部３３へ送る。画像処理部３３は、画像データに所定の画像処理を施し、画像処理後の画像データを画像ファイルとしてメモリカードなどの記憶媒体に記録する。
【００２２】
カメラ電源部３４は不図示の電池を含み、電源電圧を撮像部３２および画像処理部３３において必要な電圧へ変換する。
【００２３】
操作部材３６は、レリーズボタン１６や電源スイッチ１８などを含み、各種操作に応じた操作信号を送出する。信号監視部５０は、操作部材３６からの操作信号を監視する。信号監視部５０はさらに、アクセサリ４００が装着されている場合は、アクセサリ４００から入力される信号の監視も行う。信号監視部５０は、操作信号のレベルが、基準電位（グランド）と同じ（基準電位より所定電位高い判定閾値以下）である場合に、対応するボタンやスイッチ等が操作されたと判断する。信号監視部５０の入力ラインは、上記判定閾値以上の電位に抵抗器Ｒを介してプルアップされている。カメラ制御部３１は、信号監視部５０による監視結果に基づいて所定の処理を行う。
【００２４】
＜アクセサリ＞
アクセサリ４００の操作部材４２０は、レリーズボタン４２１や機能ボタン４２２、回転操作ダイヤル４２３などを含み、各種操作に応じた操作信号を、コネクタ４０３およびコネクタ２１を介してカメラ本体１００へ送出する。スイッチ４０６は、検知部材４０４と連動してオンまたはオフするスイッチである。スイッチ４０６は、アクセサリ４００がカメラ本体１００に装着されていない状態（すなわち、検知部材４０４が図４に例示する上面４０５から突出している状態）においてオフする。また、スイッチ４０６は、アクセサリ４００がカメラ本体１００に装着されている状態（すなわち、検知部材４０４が上面４０５と面位置になるまで押し下げられる状態）においてオンする。
【００２５】
＜コネクタ＞
次に、カメラ本体１００およびアクセサリ４００間のコネクタ２１／４０３について説明する。図６(a)は、図３のアクセサリ４００のコネクタ４０３を＋Ｚ方向から−Ｚ方向を見た拡大図であり、図６(b)は、図２のカメラ本体１００のコネクタ２１を−Ｚ方向から＋Ｚ方向を見た拡大図である。アクセサリ４００のコネクタ４０３の端子列Ｔａ１〜Ｔａ３０は、アクセサリ４００がカメラ本体１００に装着されている場合に、カメラ本体１００のコネクタ２１の端子列Ｔｂ１〜Ｔｂ３０と、それぞれ電気的に接続される。
【００２６】
図６(a)において、アクセサリ４００の上面４０５から突出しているコネクタ４０３の内側に形成された凹部Ｈの側面に沿って、端子列Ｔａ１〜Ｔａ３０が紙面に対して垂直方向（Ｚ方向）に突出し、Ｘ方向にライン状に配置されている。また、図６(b)において、コネクタ２１はカメラ本体１００の底面１５において開口として設けられる。コネクタ２１内の凸部Ｉの側面に沿って、端子列Ｔｂ１〜Ｔｂ３０が紙面に対して垂直方向（−Ｚ方向）に突出し、Ｘ方向にライン状に配置されている。コネクタ４０３がコネクタ２１に嵌入されると、コネクタ２１の凸部Ｉがコネクタ４０３の凹部Ｈに嵌入するので、対応する端子が物理的に接触し、電気的に接続される。
【００２７】
コネクタ２１の凸部Ｉがコネクタ４０３の凹部Ｈに嵌入した状態では、コネクタ４０３の端子列Ｔａ１〜Ｔａ１５が、コネクタ２１の端子列Ｔｂ１〜Ｔｂ１５を−Ｙ方向に付勢し、かつ、コネクタ４０３の端子列Ｔａ１６〜Ｔａ３０が、コネクタ２１の端子列Ｔｂ１６〜Ｔｂ３０を＋Ｙ方向に付勢するように構成されている。
【００２８】
＜ピンアサイン＞
アクセサリ４００のコネクタ４０３の端子列Ｔａ１〜Ｔａ３０の機能を、以下のように割り付ける。ここで、アクセサリ４００のコネクタ４０３の端子列Ｔａ１〜Ｔａ３０は、カメラ本体１００のコネクタ２１の端子列Ｔｂ１〜Ｔｂ３０にそれぞれ対応する。本説明では、アクセサリ４００とカメラ本体１００との間で対応する端子の符号に同一番号を付し、アクセサリ４００のコネクタ４０３の端子列Ｔａ１〜Ｔａ３０の機能や配置を説明することにより、カメラ本体１００のコネクタ２１の端子列Ｔｂ１〜Ｔｂ３０の機能や配置についての説明を省略する。
【００２９】
図６(a)において、端子列の両端に位置する端子Ｔａ１、端子Ｔａ１５、端子Ｔａ１６、および端子Ｔａ３０は、それぞれ接地端子であり、その電位が基準電位（グランド）になる端子である。接地端子の電位は、アクセサリ４００をカメラ本体１００に装着した場合に、カメラ本体１００内の接地端子と共通電位になる。端子Ｔａ２〜端子Ｔａ９は、それぞれ何も接続していない（オープン）端子である。端子Ｔａ１０は、機能ボタン４２２の押下操作を示す信号をカメラ本体１００へ送出する端子である。
【００３０】
端子Ｔａ１１および端子１３は、ともに接地端子であり、その電位が基準電位（グランド）になる端子である。端子Ｔａ１２は、回転操作ダイヤル４２３の回転操作信号（Ａ相）をカメラ本体１００へ送出する端子である。端子Ｔａ１４は、回転操作ダイヤル４２３の回転操作信号（Ｂ相）をカメラ本体１００へ送出する端子である。回転操作信号（Ａ相）および回転操作信号（Ｂ相）はそれぞれ、基準電位と、上記判定閾値より高い電位との間で変化を繰り返す矩形状の信号である。回転操作ダイヤル４２３の回転操作信号（Ａ相）用の端子Ｔａ１２は、接地端子である端子Ｔａ１１およびＴａ１３で挟まれる。また、回転操作ダイヤル４２３の回転操作信号（Ｂ相）用の端子Ｔａ１４は、接地端子である端子Ｔａ１３およびＴａ１５で挟まれる。
【００３１】
端子Ｔａ１７および端子Ｔａ１９は、それぞれ何も接続していない（オープン）端子である。端子Ｔａ１８は、アクセサリ４００がカメラ本体１００に装着されたことを検出するための検出用信号をカメラ本体１００へ送出する端子である。アクセサリ４００の装着検出用信号の端子Ｔａ１８は、オープン端子である端子Ｔａ１７およびＴａ１９で挟まれる。
【００３２】
端子Ｔａ２０は、レリーズボタン４２１の半押し操作を示す信号をカメラ本体１００へ送出する端子である。端子Ｔａ２１は、レリーズボタン４２１の全押し操作を示す信号をカメラ本体１００へ送出する端子である。端子Ｔａ２０と端子Ｔａ２１は、ともにレリーズボタン４２１の操作を示す信号をカメラ本体１００に送出する端子であるため、この二つの端子を併せてレリーズ操作端子と称する。端子Ｔａ２２〜端子Ｔａ２９は、それぞれ何も接続していない（オープン）端子である。端子Ｔａ２０と端子Ｔａ２１は、オープン端子である端子Ｔａ１９と端子Ｔａ２２とで挟まれる。換言すれば、レリーズ操作端子（Ｔａ２０、Ｔａ２１）は、オープン端子であるＴａ１９とＴａ２２とで挟まれている。
【００３３】
＜基準電位を早期に等しくする＞
上記接地端子のうち、コネクタ４０３の端子列において端部に位置する端子Ｔａ１、端子Ｔａ１５、端子Ｔａ１６、および端子Ｔａ３０について、他の端子より端子長が長く構成される。カメラ本体１００とアクセサリ４００の装着時において、コネクタ４０３の端子Ｔａ１、端子Ｔａ１５、端子Ｔａ１６、および端子Ｔａ３０をコネクタ４０３の他の端子に比べて早くコネクタ２１の端子Ｔｂ１、端子Ｔｂ１５、端子Ｔｂ１６、および端子Ｔｂ３０と接触させることにより、カメラ本体１００およびアクセサリ４００間で早期に基準電位（グランド）を等しくするためである。
【００３４】
また、本実施形態では、コネクタ４０３の端子列において４隅に位置する端子Ｔａ１、端子Ｔａ１５、端子Ｔａ１６、および端子Ｔａ３０を全て接地端子とした。この理由は、仮に、コネクタ４０３に対してコネクタ２１がＸ−Ｚ平面内で傾いて斜めに挿入される場合でも、コネクタ４０３の４隅に位置する端子Ｔａ１、端子Ｔａ１５、端子Ｔａ１６、および端子Ｔａ３０のうちいずれかの端子を、コネクタ４０３の他の端子に比べて早くコネクタ２１側の接地端子と接触させるためである。なお、端子列が１列のみの場合には、端子列において両隅に位置する端子を接地端子とすればよい。
【００３５】
図６(c)は、図６(a)のコネクタ４０３の端子列（Ｔａ１６〜Ｔａ３０）を見た図である。図６(c)において、端子Ｔａ１６および端子Ｔａ３０の端子長がＺ方向に長く形成されている。図示を省略するが、端子Ｔａ１および端子Ｔａ１５についても同様に、端子長がＺ方向に長く形成される。なお、コネクタ４０３と嵌合するコネクタ２１の端子列（Ｔｂ１〜Ｔｂ３０）のＺ方向の端子長は、全端子が同一の長さに構成されている。もしくは、カメラ本体側のコネクタ２１の端子列（Ｔｂ１〜Ｔｂ３０）のＺ方向の端子長も、コネクタ４０３の端子列（Ｔａ１〜Ｔａ３０）と同様に、接地端子であるＴｂ１、Ｔｂ１５、Ｔｂ１６、Ｔｂ３０の端子長を長くするようにしてもよいし、コネクタ４０３の接地端子Ｔａ１、Ｔａ１５、Ｔａ１６、Ｔａ３０と、コネクタ２１の接地端子Ｔｂ１、Ｔｂ１５、Ｔｂ１６、Ｔｂ３０の少なくともいずれか一方の端子長を長くするようにしてもよい。
【００３６】
＜クロストーク防止＞
回転操作信号（Ａ相）をカメラ本体１００へ送出する端子Ｔａ１２を接地端子である端子Ｔａ１１およびＴａ１３で挟み、回転操作信号（Ｂ相）をカメラ本体１００へ送出する端子Ｔａ１４を接地端子である端子Ｔａ１３およびＴａ１５で挟む。端子Ｔａ１２より送出される回転操作信号（Ａ相）および端子Ｔａ１４から送出される回転操作信号（Ｂ相）は、回転操作ダイヤル４２３が早回しされた場合に両信号における矩形状信号の周波数が高くなる。一般に、隣接する端子との間隔が狭い場合は、端子を通る信号の周波数が高くなると隣接する端子の信号との間で相互干渉が生じやすくなる。しかしながら、本実施形態では端子Ｔａ１２を接地端子である端子Ｔａ１１およびＴａ１３で挟み、端子Ｔａ１４を接地端子である端子Ｔａ１３およびＴａ１５で挟むことで、端子Ｔａ１２の回転操作信号（Ａ相）、および端子Ｔａ１４の回転操作信号（Ｂ相）から他の信号への干渉を防止できる。また、上記回転操作信号に対して他の信号からの干渉も防止できる。
【００３７】
＜「装着」の誤検出防止＞
アクセサリ４００がカメラ本体１００に装着されたことを検出するための検出用信号をカメラ本体１００へ送出する端子Ｔａ１８を、オープン端子である端子Ｔａ１７およびＴａ１９で挟む。本実施形態では、カメラ本体１００の信号監視部５０が、検出用信号のレベルが基準電位（グランド）と同じ（基準電位より所定電位高い上記判定閾値以下）である場合に「装着」を判断する。
【００３８】
仮に、コネクタ４０３に対してコネクタ２１がＸ−Ｚ平面内で傾いて斜めに挿入される場合、コネクタ２１の端子Ｔｂ１８が、コネクタ４０３の端子Ｔａ１８と隣接する端子Ｔａ１７または端子Ｔａ１９と接触（短絡）するおそれが否定できない。しかしながら、端子Ｔａ１７および端子Ｔａ１９をオープン端子にしたことで、隣接端子間で上記接触（短絡）が生じた場合でも、検出用信号のレベルを基準電位（グランド）に変化させることがないので、誤った「装着」判断を防止できる。このように、オープン端子は緩衝作用を有する。
【００３９】
＜「装着」を遅く検出する＞
一般に、検出用信号の端子は、コネクタ４０３の端子の中で最後にコネクタ２１の端子と接触するのが好ましい。この理由は、検出用信号の端子が他の信号の端子より早く接触してしまうと、他の信号（例えば、操作信号など）がカメラ本体１００とアクセサリ４００との間でつながっていないにもかかわらず、上記「装着」を判断してしまうからである。また、検出用信号の端子が接地端子より早く接触してしまうと、基準電位との比較が行えず、上記「装着」を正しく判断できないからである。
【００４０】
コネクタ４０３とコネクタ２１との接続において、Ｘ方向に並ぶ端子間で接触タイミングが異なるのは、コネクタ４０３に対してコネクタ２１がＸ−Ｚ平面内で傾いて斜めに挿入される場合である。そこで、仮に、コネクタ４０３に対してコネクタ２１がＸ−Ｚ平面内で傾いて斜めに挿入された場合においても、早期に接触しにくい端子に上記検出用信号の端子を割り付ける。
【００４１】
図１−図４の例では、コネクタ４０３においてアクセサリ４００の長手方向の中央寄り（＋Ｘ方向）に位置する端子は、斜め挿入しようとしても、端子より先にカメラ本体１００の底面１５とアクセサリ４００の上面４０５が当接することによって底面１５および上面４０５が略平行となることから斜め挿入されにくい。このため、アクセサリ４００の長手方向の中央より（＋Ｘ方向）に位置する端子は、早期に接触しにくい端子といえる。
【００４２】
これに対し、コネクタ４０３においてアクセサリ４００の長手方向の中央から遠い位置（−Ｘ方向）の端子は、コネクタ４０３に対してコネクタ２１がＸ−Ｚ平面内で傾いて斜めに挿入されると、他の端子に比べて早期に接触しやすい。本実施形態では、斜め挿入において早期に接触しにくい位置、つまりはアクセサリ４００の長手方向の中央より（＋Ｘ方向）に位置する端子Ｔａ１８に上記検出用信号を割り付けたことで、検出用信号の端子が他の信号の端子より早く接触することを防止できる。
【００４３】
本実施形態ではさらに、上記スイッチ４０６によって、検出用信号（端子Ｔａ１８）のレベルを基準電位（グランド）にするのを遅らせる。スイッチ４０６は、上述したように、アクセサリ４００がカメラ本体１００に装着されている状態（すなわち、検知部材４０４がカメラ本体１００の底面１５に当接して押し下げられる状態）でオンする。これにより、コネクタ４０３の端子Ｔａ１８がコネクタ２１の端子Ｔｂ１８と接触しても、スイッチ４０６がオンされるまで端子Ｔａ１８が基準電位（グランド）とならないから、信号監視部５０による「装着」判断を遅らせることができる。上記スイッチ４０６をコネクタ４０３よりもアクセサリの長手方向の一端側（−Ｘ方向）に配置したが、中央寄り（＋Ｘ方向）に設置するようにしてもよい。
【００４４】
さらにまた、端子のうちコネクタ４０３の端子Ｔａ１８について、他の端子より端子長を短く構成してもよい（図６(c）)。端子長を短くすることで、カメラ本体１００とアクセサリ４００の装着時において、コネクタ４０３の他の端子より遅れてコネクタ４０３の端子Ｔａ１８をコネクタ２１の端子Ｔｂ１８と接触させることができる。また、カメラ側の端子のうちコネクタ２１の端子Ｔｂ１８についても、他の端子より端子長を短く構成するようにしてもよい。その結果、検出用信号の端子が早期に接触することを防ぐことができる。
【００４５】
＜「レリーズ操作」の誤検出防止＞
レリーズボタン４２１が操作されたことを示す操作信号をカメラ本体１００へ送出する端子Ｔａ２０と端子Ｔａ２１とを隣接させ、これらの端子の両側を、オープン端子である端子Ｔａ１９およびＴａ２２で挟む。本実施形態のカメラ本体１００の信号監視部５０は、各信号のレベルが、それぞれ基準電位（グランド）と同じである場合にレリーズボタン４２１が操作されたと判断する。具体的には、端子Ｔａ２０の信号レベルが基準電位（グランド）と同じ場合は、レリーズボタン４２１が半押し操作されたと判断する。また、端子Ｔａ２１の信号レベルが基準電位（グランド）と同じ場合は、レリーズボタン４２１が全押し操作されたと判断する。
【００４６】
仮に、コネクタ４０３に対してコネクタ２１がＸ−Ｚ平面内で傾いて斜めに挿入される場合、コネクタ２１の端子Ｔｂ２１が、コネクタ４０３の端子Ｔａ２１と隣接する端子Ｔａ２２または端子Ｔａ２０と接触（短絡）するおそれを否定できない。さらに、コネクタ２１の端子Ｔｂ２０が、コネクタ４０３の端子Ｔａ２０と隣接する端子Ｔａ２１または端子Ｔａ１９と接触（短絡）するおそれを否定できない。しかしながら、端子Ｔａ１９および端子Ｔａ２２をオープン端子にしたことで、上記接触（短絡）が生じた場合でも、端子Ｔａ２１の信号レベルを基準電位（グランド）に変化させることがないので、誤った全押し操作判断を防止できる。つまり、アクセサリ４００をカメラ本体１００に装着する際に、レリーズボタン４２１を全押し操作していないにもかかわらず、カメラ本体１００が撮影動作を開始することを防止できる。このように、オープン端子は緩衝作用を有する。
【００４７】
なお、端子Ｔａ２０と端子Ｔａ２１の両側（Ｔａ１９、Ｔａ２２）をオープン端子にする限り、端子Ｔａ２０と端子Ｔａ２１と間の信号の割り付けを反対にしても構わない。すなわち、端子Ｔａ２１を半押し操作信号に、端子Ｔａ２０を全押し操作信号に、割り付けてもよい。
【００４８】
以上説明した第一の実施形態によれば、次の作用効果が得られる。
（１）コネクタ４０３に複数の端子を備え、カメラ本体１００に対して着脱可能なアクセサリ４００であって、アクセサリ４００の複数の端子は、カメラ本体１００に対して装着される上面４０５の長手方向において中央Ｃよりも一端側（−Ｘ方向）へ寄せて長手方向に並ぶ端子列を形成し、アクセサリ４００が装着されている状態か否かの判定に用いられる装着検出用信号をカメラ本体１００へ送る端子Ｔａ１８と、基準電位となる接地端子Ｔａ３０と、を含み、端子列において端子Ｔａ１８よりも一端側（−Ｘ方向）に接地端子Ｔａ３０が配置されるようにした。これにより、例えばアクセサリ４００側のコネクタ４０３に対してカメラ本体１００側のコネクタ２１がＸ−Ｚ平面内で傾いて斜めに挿入されるとしても、装着検出用信号の端子Ｔａ１８が接地端子Ｔａ３０より早くカメラ本体１００側の端子と接触することを防止できるから、カメラ本体１００においてアクセサリ４００の「装着」を正しく判断できる。この結果、ユーザーにとって使い勝手が向上する。
【００４９】
（２）複数の端子は、基準電位となる接地端子Ｔａ１６をさらに含み、端子列において、装着検出用信号の端子Ｔａ１８よりも中央側（＋Ｘ方向）に接地端子Ｔａ１６が配置されるようにした。これにより、例えば、アクセサリ４００側のコネクタ４０３に対してカメラ本体１００側のコネクタ２１がＸ−Ｚ平面内でいずれかの向きに傾いて斜めに挿入されるとしても、接地端子Ｔａ１６、Ｔａ３０のいずれかが他の端子より先にカメラ本体１００側の端子と接触するので、カメラ本体１００においてアクセサリ４００の「装着」を正しく判断できる。この結果、ユーザーにとって使い勝手が向上する。
【００５０】
（３）コネクタ４０３における複数の端子は、装着検出用信号の端子Ｔａ１８との間で短絡状態にあるとしても端子Ｔａ１８の信号レベルを変化させない第１のオープン端子Ｔａ１７および第２のオープン端子Ｔａ１９をさらに含み、コネクタ４０３の端子列において端子Ｔａ１８の両隣に、第１のオープン端子Ｔａ１７および第２のオープン端子Ｔａ１９が配置されるようにした。これにより、カメラ本体１００においてアクセサリ４００の「装着」を正しく判断できる。この結果、ユーザーにとって使い勝手が向上する。
【００５１】
（４）操作部材４２０をさらに備え、コネクタ４０３における複数の端子は、操作部材４２０の操作信号をカメラ本体１００へ送る操作端子（Ｔａ２０、Ｔａ２１、Ｔａ１２、Ｔａ１４、Ｔａ１０）と、他の端子との間で短絡状態にあるとしても他の端子の信号レベルを変化させない第３のオープン端子Ｔａ２２をさらに含み、上記端子列において、操作端子の両隣に第２のオープン端子Ｔａ１９、第３のオープン端子Ｔａ２２、Ｔａ９、接地端子Ｔａ１６を含む接地端子のいずれかの端子が配置されるようにした。これにより、カメラ本体１００において操作部材４２０の操作の誤判定をすることを避け得るから、ユーザーにとって使い勝手が向上する。
【００５２】
（５）操作部材４２０はレリーズボタン４２１を含み、コネクタ４０３における複数の端子は、レリーズボタン４２１の操作を示す信号をカメラ本体１００へ送るレリーズ操作端子（Ｔａ２０、Ｔａ２１）をさらに含み、上記端子列においてレリーズ操作端子（Ｔａ２０、Ｔａ２１）の両隣にオープン端子Ｔａ１９とオープン端子Ｔａ２２とが配置されるようにした。これにより、カメラ本体１００においてレリーズボタン４２１の操作を誤判定することを避け得るから、ユーザーにとって使い勝手が向上する。
【００５３】
（６）レリーズ操作端子は、レリーズボタン４２１の半押し操作を示すレリーズ半押し操作信号をカメラ本体１００へ送る第１操作端子Ｔａ２０と、レリーズボタン４２１の全押し操作を示すレリーズ全押し操作信号をカメラ本体１００へ送る第２操作端子Ｔａ２１とを含み、上記端子列において、オープン端子Ｔａ１９、第１操作端子Ｔａ２０、第２操作端子Ｔａ２１、オープン端子Ｔａ２２の順に配置されるようにした。これにより、カメラ本体１００においてレリーズボタン４２１の操作を誤判定することを避け得るから、ユーザーにとって使い勝手が向上する。
【００５４】
（７）操作部材４２０は回転操作ダイヤル４２３を含み、コネクタ４０３における複数の端子は、回転操作ダイヤル４２３の回転操作を示す信号をカメラ本体１００へ送る位相信号端子（Ｔａ１４、Ｔａ１２）と、基準電位となる接地端子Ｔａ１５と、基準電位となる接地端子Ｔａ１１と、をさらに含み、上記端子列において位相信号端子（Ｔａ１４、Ｔａ１２）の両隣に接地端子Ｔａ１５および接地端子Ｔａ１１が配置されるようにした。これにより、回転操作を示す信号から他の信号への干渉を防止できる。
【００５５】
（８）位相信号端子は、回転操作ダイヤル４２３の回転操作を示す回転操作信号（Ｂ相）をカメラ本体１００へ送る第１相信号端子Ｔａ１４と、回転操作ダイヤル４２３の回転操作を示す回転操作信号（Ａ相）をカメラ本体１００へ送る第２相信号端子Ｔａ１２とを含み、コネクタ４０３における複数の端子は、基準電位となる接地端子Ｔａ１３をさらに含み、上記端子列において、接地端子Ｔａ１３の両隣に第１相信号端子Ｔａ１４および第２相信号端子Ｔａ１２が配置されるようにした。これにより、回転操作を示す信号から他の信号への干渉を防止できる。
【００５６】
（９）操作部材４２０は機能ボタン４２２をさらに備え、コネクタ４０３における複数の端子は、機能ボタン４２２の押下操作信号をカメラ本体１００へ送る第３操作端子Ｔａ１０を含み、上記端子列において、上記位相信号端子（Ｔａ１４、Ｔａ１２）と第３操作端子Ｔａ１０との間に接地端子Ｔａ１１が隣接して配置されるようにした。これにより、回転操作信号から機能ボタン４２２の押下操作信号への干渉を防止できる。
【００５７】
（１０）コネクタ４０３における端子列は２列状に並置され、第１列において、上面４０５の長手方向において中央寄りから順に、第２の接地端子Ｔａ１６、第１のオープン端子Ｔａ１７、装着検出用端子Ｔａ１８、第２のオープン端子Ｔａ１９、第１操作端子Ｔａ２０、第２操作端子Ｔａ２１、第３のオープン端子Ｔａ２２が配置され、第２列において、上記中央寄りから順に、第３の接地端子Ｔａ１５、第１相信号端子Ｔａ１４、第５の接地端子Ｔａ１３、第２相信号端子Ｔａ１２、第４の接地端子Ｔａ１１、および第３操作端子Ｔａ１０が並ぶようにした。これにより、アクセサリ４００の「装着」に対する適切な判断、操作の誤判定防止、信号間の干渉防止を実現できる。
【００５８】
（１１）上面４０５の長手方向において端子配列よりも上記一端側もしくは中央に寄せて配置され、カメラ本体１００からのアクセサリ４００の着脱に応じて押し下げられるスイッチ４０６をさらに備え、装着検出用端子Ｔａ１８は、スイッチ４０６が押し下げられてから、装着検出用信号をカメラ本体１００へ送るようにした。これにより、装着検出用信号以外の他の信号（例えば、操作信号など）がカメラ本体１００およびアクセサリ４００間でつながった状態でアクセサリ４００の「装着」を判断するため、適切な判断が可能になる。
【００５９】
（１２）装着検出用端子Ｔａ１８は、カメラ本体１００に装着される際に、接地端子Ｔａ３０が端子Ｔａ１８よりも先にカメラ本体１００の対応する端子Ｔｂ３０と接触するように、接地端子Ｔａ３０の端子よりもＺ方向の長さを短く形成してもよい。このようにすると、カメラ本体１００およびアクセサリ４００間の基準電位が同じ状態でアクセサリ４００の「装着」を判断するため、適切な判断が可能になる。
【００６０】
（１３）アクセサリ４００の上面４０５はカメラ本体１００の底面１５に対して装着され、アクセサリ４００の複数の端子は、上面４０５から＋Ｚ方向に突出する構成にした。アクセサリ４００側を突出させることで、カメラ本体１００の底面１５側を突出させなくても電気的な接続が可能になる。
【００６１】
（１４）コネクタ２１に複数の端子を備え、アクセサリ４００が着脱されるカメラ本体１００であって、カメラ本体１００の複数の端子は、アクセサリ４００が装着される底面１５の長手方向において中央Ｃよりも一端側（−Ｘ方向）へ寄せて長手方向に並ぶ端子列を形成し、アクセサリ４００が装着されている状態か否かの判定に用いる装着検出用信号をアクセサリ４００から受ける端子Ｔｂ１８と、基準電位となる接地端子Ｔｂ３０と、を含み、端子列において端子Ｔｂ１８よりも一端側（−Ｘ方向）に接地端子Ｔｂ３０が配置されるようにした。これにより、例えばカメラ本体１００側のコネクタ２１がアクセサリ４００側のコネクタ４０３に対してＸ−Ｚ平面内で傾いて斜めに挿入されるとしても、装着検出用信号の端子Ｔｂ１８が接地端子Ｔｂ３０より早くアクセサリ４００側の端子と接触することを防止できるから、カメラ本体１００においてアクセサリ４００の「装着」を正しく判断できる。この結果、ユーザーにとって使い勝手が向上する。
【００６２】
（１５）コネクタ２１における複数の端子は、装着検出用信号の端子Ｔｂ１８との間で短絡状態にあるとしても端子Ｔｂ１８の信号レベルを変化させない第１のオープン端子Ｔｂ１７および第２のオープン端子Ｔｂ１９をさらに含み、コネクタ２１の端子列において端子Ｔｂ１８の両隣に、オープン端子Ｔｂ１７およびオープン端子Ｔｂ１９が配置されるようにした。これにより、カメラ本体１００においてアクセサリ４００の「装着」を正しく判断できる。この結果、ユーザーにとって使い勝手が向上する。
【００６３】
（１６）コネクタ２１における複数の端子は、アクセサリ４００の操作部材４２０から操作信号を受ける操作端子（Ｔｂ２０、Ｔｂ２１、Ｔｂ１２、Ｔｂ１４、Ｔｂ１０）と、基準電位となる接地端子Ｔｂ１６と、他の端子との間で短絡状態にあるとしても他の端子の信号レベルを変化させない第３のオープン端子Ｔｂ２２、Ｔｂ９と、をさらに含み、上記端子列において、操作端子の両隣に第２のオープン端子Ｔｂ１９、第３のオープン端子Ｔｂ２２、接地端子Ｔｂ１６を含む接地端子のいずれかの端子が配置されるようにした。これにより、カメラ本体１００において操作部材４２０の操作の誤判定をすることを避け得るから、ユーザーにとって使い勝手が向上する。
【００６４】
（１７）上記操作端子は、レリーズボタン４２１の半押し操作を示すレリーズ半押し操作信号をアクセサリ４００から受ける第１操作端子Ｔｂ２０と、レリーズボタン４２１の全押し操作を示すレリーズ全押し操作信号をアクセサリ４００から受ける第２操作端子Ｔｂ２１と、回転操作ダイヤル４２３の回転操作を示す回転操作信号（Ｂ相）をアクセサリ４００から受ける第１相信号端子Ｔｂ１４と、回転操作ダイヤル４２３の回転操作を示す回転操作信号（Ａ相）をアクセサリ４００から受ける第２相信号端子Ｔｂ１２と、機能ボタン４２２の押下操作信号をアクセサリ４００から受ける第３操作端子Ｔｂ１０と、基準電位となる接地端子Ｔｂ１５、接地端子Ｔｂ１３、および接地端子Ｔｂ１１とを含み、コネクタ２１における端子列は２列状に並置され、第１列において、底面１５の長手方向において中央寄りから順に、第２の接地端子Ｔｂ１６、第１のオープン端子Ｔｂ１７、装着検出用端子Ｔｂ１８、第２のオープン端子Ｔｂ１９、第１操作端子Ｔｂ２０、第２操作端子Ｔｂ２１、第３のオープン端子Ｔｂ２２が並び、第２列において、上記中央寄りから順に、第３の接地端子Ｔｂ１５、第１相信号端子Ｔｂ１４、第４の接地端子Ｔｂ１３、第２相信号端子Ｔｂ１２、第５の接地端子Ｔｂ１１、および第３操作端子Ｔｂ１０が並ぶようにした。これにより、アクセサリ４００の「装着」に対する適切な判断、操作の誤判定防止、信号間の干渉防止を実現できる。
【００６５】
（第二の実施形態）
第二の実施形態では、アクセサリ４００Ｂとして電池が装着される場合を例示する。電池は、アクセサリ４００Ｂの内部に設けられた電池４５０からカメラ本体１００Ｂへ、コネクタ４０３を介して電力を供給する。
【００６６】
図７は、本発明の第二の実施形態によるカメラシステム１Ｂの外観を例示する図である。図７において、カメラシステム１Ｂは、カメラ１０（カメラ本体１００Ｂおよび撮影レンズ２００）と、アクセサリ４００Ｂと、で構成される。
【００６７】
図８は、図７のアクセサリ４００Ｂを上から見た図であり、図９は、図７のアクセサリ４００Ｂを背面側から見た図である。アクセサリ４００Ｂの上面４０５には、位置決めピン４０１と、ネジ部４０２と、コネクタ４０３と、検知部材４０４とが設けられる。
【００６８】
位置決めピン４０１、ネジ部４０２、コネクタ４０３、検知部材４０４は、それぞれ上述した第一の実施形態のアクセサリ４００に設けられたものと同様である。コネクタ４０３は、上面４０５の長手方向において中心線Ｃから右端部寄り（―Ｘ方向）に位置する。
【００６９】
＜ブロック図の説明＞
図１０ は、図７に例示したカメラシステム１Ｂの概要を説明するブロック図である。図１０において、カメラ本体１００Ｂは、カメラ制御部３１と、撮像部３２と、画像処理部３３と、カメラ電源部３４と、操作部材３６と、信号監視部５０と、コネクタ２１とを含む。アクセサリ４００Ｂは、電池４５０と、スイッチ４０６と、検知部材４０４と、コネクタ４０３とを含む。
【００７０】
＜カメラ本体＞
カメラ本体１００Ｂは、第一の実施形態のカメラ本体１００と同様である。ただし、アクセサリ４００Ｂから供給される電力で動作可能に構成される。具体的には、カメラ電源部３４が、アクセサリ４００Ｂから供給される電池４５０の電圧を撮像部３２および画像処理部３３において必要な電圧へ変換する。なお、アクセサリ４００Ｂが装着されていない場合、カメラ電源部３４に含まれる不図示の電池の電圧を撮像部３２および画像処理部３３において必要な電圧へ変換する。
【００７１】
＜ピンアサイン＞
アクセサリ４００Ｂのコネクタ４０３の端子列Ｔａ１〜Ｔａ３０の機能を、以下のように割り付ける。ここで、アクセサリ４００Ｂのコネクタ４０３の端子列Ｔａ１〜Ｔａ３０は、カメラ本体１００Ｂのコネクタ２１の端子列Ｔｂ１〜Ｔｂ３０にそれぞれ対応する。本説明では、アクセサリ４００Ｂとカメラ本体１００Ｂとの間で対応する端子の符号に同一番号を付し、アクセサリ４００Ｂのコネクタ４０３の端子列Ｔａ１〜Ｔａ３０の機能や配置を説明することにより、カメラ本体１００Ｂのコネクタ２１の端子列Ｔｂ１〜Ｔｂ３０の機能や配置についての説明を省略する。
【００７２】
端子Ｔａ１、端子Ｔａ１５、端子Ｔａ１６、および端子Ｔａ３０は、第一の実施形態と同様に、それぞれ接地端子である。接地端子の電位は、アクセサリ４００Ｂをカメラ本体１００Ｂに装着した場合に、カメラ本体１００Ｂ内の接地端子と共通電位になる。端子Ｔａ２〜端子Ｔａ９は、電池４５０の負極と接続する端子である。
【００７３】
カメラ制御部３１は、 端子Ｔａ８によってアクセサリ４００Ｂの装着を検出する。カメラ制御部３１は、アクセサリ４００Ｂがカメラ本体１００Ｂに装着されたことを検出すると、電池の電圧が低下しておりカメラ１０の電力が不足しているか否かを検出する。カメラ制御部は、カメラ１０の電力が不足していることを検出すると、カメラ電源部３４から画像処理部３３、撮像部３２、カメラ制御部３１への電力供給を禁止させ、電池４５０からカメラ本体１００Ｂへコネクタ４０３を介して電力を供給する。
【００７４】
端子Ｔａ１０〜端子１４は、それぞれ何も接続していない（オープン）端子である。また、端子Ｔａ１７〜端子２２は、それぞれ何も接続していない（オープン）端子である。端子Ｔａ２３〜端子Ｔａ２９は、電池４５０の正極と接続する端子である。
【００７５】
＜正極と負極の接続タイミングを揃える＞
電池４５０の正極と接続する端子、および電子４５０の負極と接続する電源端子を、それぞれ複数の端子に割り付けるのは、１端子当たりに流れる電流を少なくし、端子における接触抵抗による電圧降下を抑える上で有効である。本実施形態では、コネクタ４０３においてアクセサリ４００の長手方向（Ｘ方向）に並ぶ端子列の中で、電池４５０の正極と接続する端子Ｔａ２３〜端子Ｔａ２９と、電池４５０の負極と接続する端子Ｔａ８〜端子Ｔａ２とが並列に並び、コネクタ４０３の凹部Ｈ（図６(a）)を隔てて対向する。
【００７６】
上述したように、コネクタ４０３とコネクタ２１との接続において、コネクタ４０３に対してコネクタ２１がＸ−Ｚ平面内で傾いて斜めに挿入される場合は、Ｘ方向に並ぶ端子間で接触タイミングが異なる。電池４５０の正極と接続される端子Ｔａ２３〜端子Ｔａ２９と、電池４５０の負極と接続される端子Ｔａ８〜端子Ｔａ２とを並列かつ対向させたことにより、仮に、コネクタ４０３に対してコネクタ２１がＸ−Ｚ平面内で傾いて斜めに挿入される場合でも、少なくとも上記対向する一対の正極、負極の端子は、略同じタイミングで接触する。これにより、電池４５０の正極または負極の端子のみが先に接触して、他極の端子が後から接触する場合に比べて、機器内の回路や、端子にかかる負担を軽減できる。
【００７７】
以上説明した第二の実施形態によれば、第一の実施形態の場合に加えて、以下の作用効果が得られる。すなわち、アクセサリ４００Ｂにおいて、カメラ本体１００Ｂの正極の電源端子Ｔｂ２３−Ｔｂ２９および負極の電源端子Ｔｂ２−Ｔｂ９へ電力を供給する電池４５０を含むようにしたので、カメラ本体１００Ｂに対して外部から電力を供給できる。カメラ本体１００Ｂの電池が消耗してもなお外部から電力を供給して撮影を続行し得るので、ユーザーにとって使い勝手が向上する。
【００７８】
（変形例１）
Ｔａ２〜Ｔａ９を正極性の電源端子とし、Ｔａ２２〜Ｔａ２９を負極性の電源端としたが、その配列に限定されない。Ｔａ２〜Ｔａ９において、正極端子と負極端子とを交互に配列されるようにしてもよい。その場合、Ｔａ２２〜Ｔａ２９においては負極端子と正極端子とを交互に配列させる。その結果、正極端子と負極端子とが異なるタイミングで接続されることを防ぐことができる。また、正極端子に対向する端子が負極端子であればよいため、１端子毎（交互配列）に限定されず、２端子毎や３端子毎に正極端子と負極端子とをする配置にしたり、それらを組合せた配置にしてもよい。
【００７９】
（変形例２）
第二の実施形態のアクセサリ４００Ｂでは、第一の実施形態のアクセサリ４００で使用されていない（オープン）端子を電源用に用いるようにした。すなわち、電池４５０の正極と接続される端子Ｔａ２３〜端子Ｔａ２９と、電池４５０の負極と接続される端子Ｔａ９〜端子Ｔａ２とは、いずれも第一の実施形態のアクセサリ４００において使用されていない端子である。このため、第一の実施形態と第二の実施形態とを組み合わせたアクセサリを構成することも可能である。
【００８０】
図１１は、変形例２によるアクセサリ４００Ｃを例示する図である。グリップ４１０には、２系統の操作部材４２０および４２０Ｂが設けられる。操作部材４２０には、レリーズボタン４２１と、機能ボタン４２２と、回転操作ダイヤル４２３とが含まれる。操作部材４２０Ｂには、レリーズボタン４２１Ｂと、機能ボタン４２２Ｂと、回転操作ダイヤル４２３Ｂとが含まれる。
【００８１】
アクセサリ４００Ｃが装着されたカメラ１０は、レリーズボタン４２１、または４２１ｂのいずれが押下された場合も撮像処理を行う。機能ボタン４２２Ｂは、機能ボタン４２２と同様に、回転操作ダイヤル４２３によって変更する項目を選ぶための操作部材である。回転操作ダイヤル４２３Ｂは、回転操作ダイヤル４２３と同様に、シャッタースピード等を変更するための操作部材である。
【００８２】
アクセサリ４００Ｃには、不図示の電池が含まれる。アクセサリ４００Ｃは、カメラ本体１００へコネクタ４０３を介して電源を供給する。
【００８３】
変形例２によれば、アクセサリ４００Ｃのコネクタ４０３の複数の端子は、基準電位と接続される接地端子Ｔａ１と、カメラ本体へ電力を供給する正極性の複数の電源端子と、カメラ本体へ電力を供給す負極性の複数の電源端子と、をさらに含み、第１列において、第３のオープン端子Ｔａ２２と第１の接地端子Ｔａ３０との間に正極性の電源端子（Ｔａ２３−Ｔａ２９）が複数配置され、第２列において、一端側（−Ｘ方向）の端に接地端子Ｔａ１が、第３操作端子Ｔａ１０と接地端子Ｔａ１との間に負極性の電源端子（Ｔａ９−Ｔａ２）が複数配置されるようにした。これにより、アクセサリ４００Ｃの「装着」に対する適切な判断、操作の誤判定防止、信号間の干渉防止を実現しつつ、カメラ本体に対して外部から電力を供給できる。
【００８４】
また、カメラ本体のコネクタ２１の複数の端子は、基準電位と接続される接地端子Ｔｂ１と、アクセサリ４００Ｃから電力供給を受ける正極性の複数の電源端子と、アクセサリ４００Ｃから電力供給を受ける負極性の複数の電源端子と、をさらに含み、第１列において、第３のオープン端子Ｔｂ２２と接地端子Ｔｂ３０との間に正極性の電源端子（Ｔｂ２３−Ｔｂ２９）が複数配置され、第２列において、一端側（−Ｘ方向）の端に接地端子Ｔｂ１が、第３操作端子Ｔｂ１０と接地端子Ｔｂ１との間に負極性の電源端子（Ｔｂ９−Ｔｂ２）が複数配置されるようにした。これにより、アクセサリ４００Ｃの「装着」に対する適切な判断、操作の誤判定防止、信号間の干渉防止を実現しつつ、カメラ本体に対して外部から電力を供給できる。
【００８５】
（変形例３）
コネクタ２１およびコネクタ４０３を嵌合させて、対応する双方の端子を接触させてもカメラ本体１００（１００Ｂ）とアクセサリ４００（４００Ｂ、４００Ｃ）との間で信号などの電気的な接続が行われない端子をオープン端子として説明した。オープン端子には、端子用のスペースを残したまま端子を省くことによって、カメラ本体１００（１００Ｂ）とアクセサリ４００（４００Ｂ、４００Ｃ）との間で電気的な接続が行われない構成を含む。
【００８６】
（変形例４） 
第１の実施例の場合、オープン端子（Ｔａ２２、Ｔｂ２２）にＳ２信号を割り当て、Ｓ２信号（Ｔａ２１、Ｔｂ２１）をオープン端子、もしくは接地端子とするようにしてもよい。その結果、Ｓ１信号とＳ２信号とがショートすることを防止することができる。
【００８７】
（変形例５）
端子Ｔａ１１、Ｔｂ１１と、端子Ｔａ１３、Ｔｂ１３と、端子Ｔａ１５、Ｔｂ１５を、緩衝用端子としてしてもよい。端子Ｔａ１２と端子Ｔａ１４との間に、緩衝用端子である端子Ｔａ１３を配置することで、端子Ｔａ１２と端子Ｔａ１４との配置間隔が広がり、回転操作信号（Ａ相）の回転操作信号（Ｂ相）から他の信号への干渉を防止できる。また、端子Ｔａ１１と端子Ｔａ１５を緩衝用端子とすることで、端子Ｔａ１２と端子１４と他の端子との配置間隔が広くなることから、上記回転操作信号に対して他の信号からの干渉も防止することができる。
レリーズ操作、回転操作、押圧操作を含む操作信号をカメラ本体１００へ送出する端子Ｔａ１０、Ｔａ１２、Ｔａ１４、Ｔａ２０、Ｔａ２１の両隣には、緩衝用端子が配置されることとなり、すべての操作信号に対して他の信号から干渉を防止することができる。
【００８８】
以上の説明はあくまで一例であり、上記の実施形態の構成に何ら限定されるものではない。各実施形態は、適宜組み合わせて構わない。
【符号の説明】
【００８９】
１、１Ｂ…カメラシステム
１０…カメラ
１５…底面
１９…位置決め穴
２０…三脚ネジ穴
２１、４０３…コネクタ
３１…カメラ制御部
１００、１００Ｂ…カメラ本体
２００…撮影レンズ
４００、４００Ｂ、４００Ｃ…アクセサリ
４０１…位置決めピン
４０２…ネジ部
４０４…検知部材
４０５…上面
４０６…スイッチ
４１０…グリップ
４２０、４２０Ｂ…操作部材
４５０…電池
Ｔａ１〜Ｔａ３０…端子
Ｔｂ１〜Ｔｂ３０…端子
【図１】
2015075504.tif 000003
【図２】
2015075504.tif 000004
【図３】
2015075504.tif 000005
【図４】
2015075504.tif 000006
【図５】
2015075504.tif 000007
【図６】
2015075504.tif 000008
【図７】
2015075504.tif 000009
【図８】
2015075504.tif 000010
【図９】
2015075504.tif 000011
【図１０】
2015075504.tif 000012
【図１１】
2015075504.tif 000013